(57)【要約】【課題】振動部材が光学部材を振動させる際に生じる音に対して撮影者が違和感を覚えることを抑制できるデジタルカメラを提供する。【解決手段】クリーニングの実行に先だって、クリーニング時の高周波音の発生が許容されるか否かを判断するように構成した。そして、クリーニング時の高周波音の発生が許容されると判断される場合には、効果的に異物払い落としができる振動条件で振動板２６１，２６２を振動させて異物払い落としを行うように構成した。また、クリーニング時の高周波音の発生が許容されないと判断される場合には、異物払い落としに伴う高周波音の発生が抑制されるような振動条件で振動板２６１，２６２を振動させて異物払い落としを行うように構成した。【選択図】図１０
2010114641.tif 000002
【特許請求の範囲】
【請求項１】
被写体像を撮像する撮像素子と、
前記撮像素子の被写体側の前面に配設された光学部材と、
前記光学部材を振動させる振動部材と、
前記振動部材が前記光学部材を振動させる際に生じる音の発生が許容されるか否かを判断する判断手段と、
前記音の発生が許容されると前記判断手段で判断されると、第一の条件で前記振動部材を駆動することで前記光学部材を振動させ、前記音の発生が許容されないと前記判断手段で判断されると、第一の条件で前記振動部材を駆動する場合と比べて前記音の大きさが小さくなる第２の条件で前記振動部材を駆動することで前記光学部材を振動させる振動部材駆動制御手段とを備えることを特徴とするデジタルカメラ。
【請求項２】
被写体像を撮像する撮像素子と、
前記撮像素子の被写体側の前面に配設された光学部材と、
前記光学部材を振動させる振動部材と、
前記振動部材が前記光学部材を振動させる際に生じる音の発生が許容されるか否かを判断する判断手段と、
前記音の発生が許容されると前記判断手段で判断されると、前記振動部材を駆動することで前記光学部材を振動させ、前記音の発生が許容されないと前記判断手段で判断されると、前記振動部材を駆動しない振動部材駆動制御手段とを備えることを特徴とするデジタルカメラ。
【請求項３】
請求項１または請求項２に記載のデジタルカメラにおいて、
前記判断手段は、少なくとも、所定の条件下で前記振動部材が前記光学部材を自動的に振動させるように設定されている場合には、前記振動部材が前記光学部材を振動させる際に生じる音の発生が許容されるか否かを判断することを特徴とするデジタルカメラ。
【請求項４】
請求項１〜３のいずれか一項に記載のデジタルカメラにおいて、
デジタルカメラの近傍に存在する人を検出する人検出手段をさらに備え、
前記判断手段は、デジタルカメラの近傍に人が存在しないことが前記人検出手段で検出されたときには、前記音の発生が許容されると判断し、デジタルカメラの近傍に人が存在することが前記人検出手段で検出されたときには、前記音の発生が許容されないと判断することを特徴とするデジタルカメラ。
【請求項５】
請求項１〜３のいずれか一項に記載のデジタルカメラにおいて、
デジタルカメラの周囲の環境音の少なくとも音量を測定する音量測定手段をさらに備え、
前記判断手段は、前記音量測定手段で測定した前記環境音の音量が所定の音量を超えていれば、前記音の発生が許容されると判断し、前記音量測定手段で測定した前記環境音の音量が所定の音量を以下であれば、前記音の発生が許容されないと判断することを特徴とするデジタルカメラ。
【発明の詳細な説明】
【技術分野】
【０００１】
本発明は、光学部材を振動させることで光学部材に付着した異物を除去するデジタルカメラに関する。
【背景技術】
【０００２】
光学部材を振動させることで光学部材に付着した異物を除去するデジタルカメラが知られている。このデジタルカメラでは、異物除去の効果を高めるために、光学部材が共振するように加振している（特許文献１参照）。
【０００３】
【特許文献１】特開２００２−２０４３７９号公報
【発明の開示】
【発明が解決しようとする課題】
【０００４】
しかし、従来のデジタルカメラでは、光学部材を支持する部材にも振動が伝わって振動してしまうため、耳障りな音が生じることがあった。
【課題を解決するための手段】
【０００５】
（１）  請求項１の発明によるデジタルカメラは、被写体像を撮像する撮像素子と、撮像素子の被写体側の前面に配設された光学部材と、光学部材を振動させる振動部材と、振動部材が光学部材を振動させる際に生じる音の発生が許容されるか否かを判断する判断手段と、音の発生が許容されると判断手段で判断されると、第一の条件で振動部材を駆動することで光学部材を振動させ、音の発生が許容されないと判断手段で判断されると、第一の条件で振動部材を駆動する場合と比べて音の大きさが小さくなる第２の条件で振動部材を駆動することで光学部材を振動させる振動部材駆動制御手段とを備えることを特徴とする。
（２）  請求項２の発明によるデジタルカメラは、被写体像を撮像する撮像素子と、撮像素子の被写体側の前面に配設された光学部材と、光学部材を振動させる振動部材と、振動部材が光学部材を振動させる際に生じる音の発生が許容されるか否かを判断する判断手段と、音の発生が許容されると判断手段で判断されると、振動部材を駆動することで光学部材を振動させ、音の発生が許容されないと判断手段で判断されると、振動部材を駆動しない振動部材駆動制御手段とを備えることを特徴とする。
（３）  請求項３の発明は、請求項１または請求項２に記載のデジタルカメラにおいて、判断手段は、少なくとも、所定の条件下で振動部材が光学部材を自動的に振動させるように設定されている場合には、振動部材が光学部材を振動させる際に生じる音の発生が許容されるか否かを判断することを特徴とする。
（４）  請求項４の発明は、請求項１〜３のいずれか一項に記載のデジタルカメラにおいて、デジタルカメラの近傍に存在する人を検出する人検出手段をさらに備え、判断手段は、デジタルカメラの近傍に人が存在しないことが人検出手段で検出されたときには、音の発生が許容されると判断し、デジタルカメラの近傍に人が存在することが人検出手段で検出されたときには、音の発生が許容されないと判断することを特徴とする。
（５）  請求項５の発明は、請求項１〜３のいずれか一項に記載のデジタルカメラにおいて、デジタルカメラの周囲の環境音の少なくとも音量を測定する音量測定手段をさらに備え、判断手段は、音量測定手段で測定した環境音の音量が所定の音量を超えていれば、音の発生が許容されると判断し、音量測定手段で測定した環境音の音量が所定の音量を以下であれば、音の発生が許容されないと判断することを特徴とする。
【発明の効果】
【０００６】
本発明によれば、振動部材が光学部材を振動させる際に生じる音に対して撮影者が違和感を覚えることを抑制できる。
【発明を実施するための最良の形態】
【０００７】
−−−第１の実施の形態−−−
図１〜１０を参照して、本発明によるデジタルカメラの第１の実施の形態を説明する。図１は、本発明によるデジタルカメラであるカメラボディ１００と撮影レンズ３００を斜め後方から見たときの外観の斜視図であり、図２は、背面カバー１１０を外したカメラボディ１００と撮影レンズ３００とを斜め後方から見たときの外観の斜視図である。図３は、カメラボディ１００と撮影レンズ２００の断面を概念的に示す図である。説明の便宜上、以下の説明では、各図に記載するように前後方向および上下方向を規定する。また、左右方向については、カメラボディ１００を正面から見たときの左右方向と一致するように規定する。
【０００８】
カメラボディ１００は、撮影レンズ３００が着脱可能に取り付けられる、いわゆる一眼レフタイプのデジタルカメラである。カメラボディ１００の右側上面にはレリーズボタン２が設けられている。カメラボディ１００の後方面（背面）には、光学ファインダを観察するためのアイピース６２が取り付けられている。また、カメラボディ１００の背面側のカバー（背面カバー）１１０には、後述する表示装置７１を観察するための窓部１１０と、後述するアイセンサ９０の発する赤外光またはこの赤外光の反射光を透過させるための窓部１１２ａ，１１２ｂとが設けられている。
【０００９】
図３に示すように、カメラボディ１００には、レンズマウント１１の後方に撮影光路を形成するミラーボックス２０が設けられ、その後方にシャッタ１が、さらにその後方に撮像ユニット２００が配置される。またミラーボックス２０の上方には、ファインダ光学系６０が配置される。４０は、カメラボディ１００の各部を制御する制御回路４１が搭載されるメイン基板である。メイン基板４０の後方面には、撮影時の各種情報やスルー画などを表示する表示装置７１が配設されている。表示装置７１は、たとえば液晶表示装置（ＬＣＤ）などの表示装置である。なお、スルー画（スルー画像、またはライブビュー画像とも呼ぶ）は、記憶媒体への記録用の画像を取得するための撮影（本撮影）の前段階として後述する撮像素子２５０で繰り返し撮像することで取得される予備撮影画像である。シャッタ１は、撮影開口を開放および遮光する先幕遮光羽根群および後幕遮光羽根群を有する。
【００１０】
レンズマウント１１には交換レンズ（撮影レンズ）３００が装着され、撮影レンズ３００を透過した被写体光束は、レンズマウント１１の開口からミラーボックス２０内に入射する。すなわち、ミラーボックス２０は、撮影レンズ３００からの光束を撮像ユニット２００に導く空間を形成する。ミラーボックス２０内にはミラーユニット３０が配置されている。
【００１１】
ミラーユニット３０は、メインミラー（ハーフミラー）およびその支持部材から成るメインミラーユニット３１と、サブミラーおよびその支持部材から成るサブミラーユニット３２とを有する。メインミラーユニット３１の一端部は、ミラーボックス後部においてカメラ横方向（左右方向）の軸Ｘ回りに回動可能に支持され、サブミラーユニット３２は、メインミラーユニット３１に対してカメラ横方向の軸回りに回動可能に支持される。ミラーユニット３０は、図３に示すように撮影光路内に挿入される観察位置（ミラーダウン位置）と、撮影光路から退避する不図示の撮影位置（ミラーアップ位置）との間で回動可能とされる。
【００１２】
撮像ユニット２００には、撮像素子２５０と、撮像素子２５０の前面に配設された光学フィルタ（ローパスフィルタ）とが一体的に設けられている。撮像ユニット２００については後に詳述する。ミラーボックス２０の下方の空間には、焦点検出ユニット５１、および、レンズ駆動機構５２がそれぞれ配置される。また、ミラーボックス２０の上方のファインダ光学系６０には、測光ユニット８０が設けられている。焦点検出ユニット５１は、公知の位相差検出方式のＡＦセンサを備えており、撮影レンズ３００による焦点調節状態を検出する焦点検出時に用いられる。レンズ駆動機構５２は、後述するレンズ駆動制御部１６３（図４）からの制御信号に基づいてフォーカスレンズ３００ａを光軸方向に駆動して撮影レンズ３００の焦点調節を行う。
【００１３】
測光ユニット８０は、ファインダ光学系６０のペンタプリズム６１の後方に設けられており、ファインダ光学系６０に入射した被写体光を受光して光電変換する素子を含み、その光電変換出力が測光に利用される。アイセンサ９０は、赤外光の発光部９０ａと、赤外光の受光部９０ｂとを含み、メイン基板４０の後方面に取り付けられている（図２）。図３に示すように、撮影者がアイピース６２を介してファインダ光学系６０（光学ファインダ）を覗き込む際に顔をカメラボディ１００に近づけると、発光部９０ａから発光された赤外光が窓部１１２ａを介してカメラボディ１００の外部の撮影者の顔面に照射される。撮影者の顔面で反射された赤外光は、窓部１１２ｂを介して受光部９０ｂに入射する。アイセンサ９０は、従来のデジタルカメラにも設けられているセンサである。従来のデジタルカメラでは、受光部９０ｂに赤外光が入射したことが検出されると、表示装置７１の表示を中止するように各部を制御することで、アイピース６２を介してファインダ光学系６０を覗き込む際に撮影者が表示装置７１をまぶしいと感じてしまう不具合を防止している。なお、本実施の形態では、上述の表示装置７１の表示制御のほかに、制御回路４１は、受光部９０ｂに赤外光が入射したことが検出されると、撮影者の頭部がカメラボディ１００の背面に近づいたものと判断して、後述する処理を行う。
【００１４】
図４は、カメラボディ１００の構成を説明するブロック図である。制御回路４１は、マイクロコンピュータやメモリなどによって構成される。制御回路４１は、後述する各部から出力される信号を入力して所定の演算を行い、演算結果に基づく制御信号を各部へ出力する。制御回路４１と後述する各部とは互いに接続されている。
【００１５】
撮像素子２５０は、撮影レンズ３００を通過した被写体光による像を撮像し、撮像信号を画像処理部１２３へ出力する。画像処理部１２３は、Ａ／Ｄ変換回路やＡＳＩＣなどによって構成される。画像処理部１２３は、アナログ撮像信号をデジタル信号に変換して、デジタル変換後の画像データにホワイトバランス処理などの画像処理を行う。また画像処理部１２３は、画像処理後の画像データを所定の形式で圧縮する圧縮処理、圧縮された画像データを伸長する伸長処理などを行う。
【００１６】
レリーズスイッチ１４１は、レリーズボタン２に連動してレリーズ操作信号を制御回路４１に出力する。レリーズ操作信号には、レリーズボタンの半押し操作に対応する半押し操作信号と、半押し操作より深く押下される全押し操作に対応する全押し操作信号とがある。操作スイッチ１４３は、カメラボディ１００に設けられた不図示の各操作ボタンが操作されると、それぞれ操作信号を制御回路４１に出力するスイッチ群である。上述した焦点検出ユニット５１、測光ユニット８０、およびアイセンサ９０は制御回路４１に接続されている。メモリ４２は、制御プログラムやあらかじめ設定された各種設定値等を格納するＲＯＭおよび作業エリアのＲＡＭを含むメモリである。メモリ４２は、撮影モードなどの各種設定モードの設定状態や、後述するクリーニング後の撮影回数なども記憶する。
【００１７】
振動板制御装置１５１は、制御回路４１から出力される信号に基づいて後述する振動板２６１，２６２を駆動する装置である。表示制御部１６１は、制御回路４１から出力される信号に基づいて、表示装置７１の表示制御を行う制御部である。レンズ駆動制御部１６３は、制御回路４１から出力される信号に基づいて、合焦動作や焦点距離変更動作を行うようにレンズ駆動機構５２を制御する。シーケンスモータ駆動部１６４は、制御回路４１から出力される信号に基づいてシーケンスモータ１６４ａを駆動する。シーケンスモータ１６４ａは、ミラーユニット３０の回動や、シャッタ１のチャージ動作などを行うためのモータである。
【００１８】
記憶媒体装着部１６５は、不図示の記憶媒体を着脱可能に保持し、装着された記憶媒体に記録されたデータの読み込みや消去、記憶媒体へのデータの書き込みを行う。記憶媒体には、画像処理後の画像データが記録される。なお、シャッタ１の動作を開始させるためのマグネットなどについては本願発明に直接関係しないため記載を省略する。
【００１９】
−−−撮像ユニット２００−−−
図５は、撮像ユニット２００の斜視図であり、図６は、撮像ユニット２００の分解図であり、図７は撮像ユニット２００を左側から見たときの断面図であり、図８は撮像ユニット２００を下方から見たときの断面図である。図５，６に示すように、撮像ユニット２００は、ホルダー２０１と、撮像基板２５１と、撮像素子２５０と、マスク２０２と、ローパスフィルタ２１１と、固定部材２０３と、シール部材２０４と、ローパスフィルタ２１２と、ローパスフィルタ押さえバネ２０５と、固定部材押さえバネ２０６とを備えている。ホルダー２０１は、撮像素子２５０や撮像基板２５１、固定部材２０３などが取り付けられる部材である。撮像基板２５１は、撮像素子２５０が接続される基板であり、上述した画像処理部１２３に接続される。
【００２０】
撮像素子２５０は、ＣＣＤなどの固体撮像素子である。撮像素子２５０は、撮像基板２５１と電気的に接続された状態で、図６の符号２０１ａで示したホルダー２０１の凸部に接着されて固定されている。マスク２０２は、たとえばゴムなどの弾性体で形成された枠状の部材であり、撮像素子２５０の前方に配設されている。マスク２０２は、撮像素子２５０の撮像領域以外への被写体光の進入を遮断するほか、後述するローパスフィルタ２１１と撮像素子２５０との間の空間に異物の侵入を防止するとともに、撮像素子２５０に対するローパスフィルタ２１１の位置を決定する。
【００２１】
ローパスフィルタ２１１は、モアレなどを防止するための光学部材である。ローパスフィルタ２１１は、後述する固定部材２０３を介して固定部材押さえバネ２０６の付勢力によってマスク２０２に対して押圧されることで、撮像素子２５０に対して位置決めされて固定される。なお、ローパスフィルタ２１１の前面または後面に赤外光をカットする赤外カットフィルタが設けられていてもよい。
【００２２】
固定部材２０３は、後述するローパスフィルタ２１２や、シール部材２０４、ローパスフィルタ押さえバネ２０５が取り付けられるとともに、ローパスフィルタ２１１やマスク２０２をホルダー２０１に向かって押圧する部材である。シール部材２０４は、固定部材２０３とローパスフィルタ２１２との間で挟持されて、ローパスフィルタ２１２の後側の空間に異物が侵入するのを防止する部材である。ローパスフィルタ２１２は、上述したローパスフィルタ２１１と同様にモアレなどを防止するための光学部材である。ローパスフィルタ２１２の前面の左右端近傍には後述する振動板２６１，２６２が接着されて固定されている。
【００２３】
ローパスフィルタ押さえバネ２０５は、ローパスフィルタ２１２を固定部材２０３に向かって付勢して固定するための略矩形形状の枠状の部材であり、図５に示すように、左右方向内側に向かって延在する腕部２０５ａを有する。ローパスフィルタ押さえバネ２０５は、固定部材２０３に対してネジ２９１などで固定されると、腕部２０５ａがローパスフィルタ２１２の前面に当接して撓む。この腕部２０５ａの撓みによって発生する付勢力で、ローパスフィルタ押さえバネ２０５はローパスフィルタ２１２を固定部材２０３に向かって付勢する。なお、腕部２０５ａが振動板２６１，２６２よりも左右方向外側でローパスフィルタ２１２の前面に当接してローパスフィルタ２１２を付勢する。これにより、ローパスフィルタ押さえバネ２０５は、振動板２６１，２６２によるローパスフィルタ２１２の振動を阻害しない。ローパスフィルタ押さえバネ２０５は、ローパスフィルタ押さえバネ２０５に設けられた穴２０５ｂに、固定部材２０３のボス２０３ｂがはめ込まれることにより位置決めされる（図５）。また。ローパスフィルタ２１２は、固定部材２０３のボス２０３ａによって、固定部材２０３に対する上下左右方向の位置が決定される。
【００２４】
固定部材押さえバネ２０６は、固定部材２０３をホルダー２０１に固定するためのバネ部材である。固定部材押さえバネ２０６は、ネジ２９２によってホルダー２０１に取り付けられると、ローパスフィルタ２１２や、シール部材２０４、ローパスフィルタ押さえバネ２０５が取り付けられた固定部材２０３をホルダー２０１に向かって付勢しつつ、固定部材２０３をホルダー２０１に固定する（図５）。
【００２５】
また、ネジ２９２によって固定部材押さえバネ２０６がホルダー２０１に取り付けられると、上述したように、固定部材押さえバネ２０６によって付勢された固定部材２０３がローパスフィルタ２１１やマスク２０２をホルダー２０１に向かって押圧して固定する。このようにして、撮像基板２５１と、撮像素子２５０と、マスク２０２と、ローパスフィルタ２１１と、固定部材２０３と、シール部材２０４と、ローパスフィルタ２１２とがホルダー２０１に対して固定される。これらの各部材が取り付けられたホルダー２０１、すなわち撮像ユニット２００は、カメラボディ１００に取り付けられて固定される。
【００２６】
上述した構成により、図７，８に示すように、撮像素子２５０の前側表面からローパスフィルタ２１１の後側表面まで、および、ローパスフィルタ２１１の前側表面からローパスフィルタ２１２の後側表面までは、密閉された空間が形成されている。したがって、これらの空間内に外部から異物が侵入することはない。しかし、ローパスフィルタ２１２の前側表面はカメラボディ１００内の空間に露出しているため、異物が付着することがある。そこで、本実施の形態のデジタルカメラでは、振動板２６１，２６２を振動させることによってローパスフィルタ２１２を振動させて、ローパスフィルタ２１２の前側表面に付着した異物を払い落とす。
【００２７】
図９は、ローパスフィルタ２１２および振動板２６１，２６２を示す斜視図である。振動板２６１，２６２は圧電素子であり、ローパスフィルタ２１２の前側表面の左右端近傍で、ローパスフィルタ２１２の上下方向に延在する辺（短辺）に沿って延在する。振動板２６１，２６２は、上述したようにローパスフィルタ２１２の前面に接着されて固定されている。振動板２６１，２６２は、それぞれ可撓性を有するフレキシブルプリント基板（以下、ＦＰＣと呼ぶ）２６３，２６４によって振動板制御装置１５１と電気的に接続されている。振動板２６１，２６２は、振動板制御装置１５１から出力される所定周波数の駆動信号によって駆動されると振動する。この振動がローパスフィルタ２１２に伝達されると、ローパスフィルタ２１２自体が振動して前側表面に付着した異物を払い落とす。
【００２８】
しかし、異物払い落としのために振動板２６１，２６２を振動させると、ローパスフィルタ２１２の振動がローパスフィルタ押さえバネ２０５に伝わるため、ローパスフィルタ押さえバネ２０５が振動して高周波音を発生させてしまう。そのため、この高周波音を撮影者が煩わしく感じる恐れがある。また、たとえば撮影回数に応じて自動的に異物払い落としを行う自動クリーニングモードが設定されている場合には、自動的に異物払い落とし（クリーニング）が行われるとカメラボディ１００から不意に高周波音が発生するため、撮影者がカメラボディ１００が故障したと勘違いをする恐れもある。
【００２９】
そこで、本実施の形態のデジタルカメラでは、異物払い落としの実行に先だって、異物払い落としに伴う上記高周波音の発生が許容されるか否かを判断する。そして、異物払い落としに伴う高周波音の発生が許容されると判断される場合には、効果的に異物の払い落としができる振動条件で振動板２６１，２６２を振動させて異物払い落としを行う。また、異物払い落としに伴う高周波音の発生が許容されないと判断される場合には、異物払い落としに伴う高周波音の発生が抑制されるような振動条件で振動板２６１，２６２を振動させて異物払い落としを行うようにした。
【００３０】
具体的には、上述した自動クリーニングモードに設定されている場合、前回の異物払い落としから所定の回数以上の撮影が行われたときに、撮影後にアイセンサ９０で赤外光の反射光が検出されなかった場合には、制御回路４１は、撮影者の頭部がカメラボディ１００の背面に近づいてはおらず、異物払い落としに伴う高周波音の発生が許容されると判断する。この場合、制御回路４１は、ローパスフィルタ２１２の前側表面に付着した異物を効果的に払い落とすことができるようにローパスフィルタ２１２を振動させることができる駆動条件で振動板２６１，２６２を駆動するように振動板制御装置１５１に制御信号を出力する。振動板制御装置１５１は、異物払い落としに効果的であるあらかじめ定められた駆動条件（たとえば周波数や駆動電圧、駆動継続時間など）で振動板２６１，２６２を駆動する。
【００３１】
また、上述した自動クリーニングモードに設定されている場合、前回の異物払い落としから所定の回数以上の撮影が行われたときに、撮影後にアイセンサ９０で赤外光の反射光が検出された場合には、制御回路４１は、撮影者の頭部がカメラボディ１００の背面に近づいていて異物払い落としに伴う高周波音の発生が許容されないと判断する。この場合、制御回路４１は、異物払い落としに伴う高周波音の発生を抑制できる駆動条件で振動板２６１，２６２を駆動するように振動板制御装置１５１に制御信号を出力する。振動板制御装置１５１は、異物払い落としに伴う高周波音の発生を抑制できる駆動条件（たとえば周波数や駆動電圧、駆動継続時間など）で振動板２６１，２６２を駆動する。なお、撮影者が手動で異物払い落としを行うように操作した場合には、上述した判断は行われず、制御回路４１は、ローパスフィルタ２１２の前側表面に付着した異物を効果的に払い落とすことができるようにローパスフィルタ２１２を振動させることができる駆動条件で振動板２６１，２６２を駆動するように振動板制御装置１５１に制御信号を出力する。
【００３２】
−−−フローチャート−−−
このように構成されるカメラボディ１００の動作について、図１０のフローチャートを参照して説明する。図１０は、上述したカメラボディ１００で撮影を行う際のプログラムの処理内容を示すフローチャートである。カメラボディ１００の不図示の電源スイッチがオンされると、この処理を行うプログラムが起動されて、制御回路４１で実行される。ステップＳ１において、メモリ４２に記憶されている各種モードの設定状態を読み込んで、撮影回数に応じて自動的に異物払い落としを行う自動クリーニングモードが設定されているか否かを判断する。
【００３３】
ステップＳ１が肯定判断されるとステップＳ３へ進み、前回の異物の払い落とし（クリーニング）を行った後の撮影回数Ｎが所定の撮影回数ｎ１以上であるか否かを判断する。ステップＳ３が肯定判断されるとステップＳ５へ進み、アイセンサ９０で赤外光の反射光が検出されているか否かを判断する。ステップＳ５が否定判断されると、すなわち、アイセンサ９０で赤外光の反射光が検出されていないと判断されるとステップＳ７へ進み、異物を効果的に払い落とすことができる駆動条件で振動板２６１，２６２を駆動するように振動板制御装置１５１に制御信号を出力する。また、ステップＳ５が肯定判断されると、すなわち、アイセンサ９０で赤外光の反射光が検出されていると判断されるとステップＳ２３へ進み、クリーニング時の高周波音の発生を抑制できる駆動条件で振動板２６１，２６２を駆動するように振動板制御装置１５１に制御信号を出力する。
【００３４】
ステップＳ７またはステップＳ２３が実行されるとステップＳ９へ進み、クリーニング後の撮影回数Ｎを０回にリセットしてステップＳ１１へ進む。ステップＳ１１において、レリーズスイッチ１４１から出力される半押し操作信号を受信するまで待機する。ステップＳ１１が肯定判断されると、ステップＳ１３へ進み、公知の測光演算および測距演算を行うとともに、撮影レンズ３００の焦点調節を行うなどの公知の制御を行う。ステップＳ１３における制御内容については公知であるので、詳細な説明は省略する。ステップＳ１３が実行されるとステップＳ１５へ進み、レリーズスイッチ１４１から出力される全押し操作信号を受信するまで待機する。
【００３５】
ステップＳ１５が肯定判断されるとステップＳ１７へ進み、ステップＳ１３で行われた測光演算の結果に基づいて、撮影レンズ３００の絞りを制御絞り値まで絞り込むとともに、ステップＳ１３で算出されたシャッタ秒時だけ撮像素子２５０が露光されて被写体像が撮像されるように各部を制御する、公知の撮影シーケンスを実行する。そして、デジタルカメラの各部を撮影開始前の状態にリセットする公知のリセット動作を行う。ステップＳ１７における制御内容については公知であるので、詳細な説明は省略する。
【００３６】
ステップＳ１７が実行されるとステップＳ１９へ進み、クリーニング後の撮影回数Ｎに１を加算してステップＳ２１へ進む、ステップＳ２１において、カメラボディ１００の不図示の電源スイッチがオフされたか否かを判断する。ステップＳ２１が否定判断されるとステップＳ１へ戻る。ステップＳ２１が肯定判断されると本プログラムを終了する。
【００３７】
ステップＳ１が否定判断されるか、ステップＳ３が否定判断されるとステップＳ１１へ進む。
【００３８】
本実施の形態のデジタルカメラでは、次の作用効果を奏する。
（１）  クリーニングの実行に先だって、クリーニング時の高周波音の発生が許容されるか否かを判断するように構成した。そして、クリーニング時の高周波音の発生が許容されると判断される場合には、効果的に異物払い落としができる振動条件で振動板２６１，２６２を振動させて異物払い落としを行うように構成した。また、クリーニング時の高周波音の発生が許容されないと判断される場合には、異物払い落としに伴う高周波音の発生が抑制されるような振動条件で振動板２６１，２６２を振動させて異物払い落としを行うように構成した。したがって、高周波音の発生が抑制されない効果的なクリーニングが高周波音の発生が許容されると判断された場合にだけ行われ、高周波音の発生が許容されないと判断される場合には、クリーニングが行われても上記高周波音が抑制されるので、撮影者が高周波音に対して違和感を覚えることを抑制できる。
【００３９】
（２）  クリーニング時の高周波音の発生が許容されるか否かを、アイセンサ９０で赤外光の反射光が検出されるか否かによって判断するように構成した。これにより、撮影者が頭部をデジタルカメラに近づけているか否かをアイセンサ９０で容易に検出できるので、クリーニング時の高周波音の発生が許容されるか否かを容易に判断できる。また、従来のデジタルカメラにも設けられているアイセンサ９０の検出結果を利用して上記判断を行うように構成したので、新たなセンサを設ける等のコスト増も抑制できる。
【００４０】
（３）  高周波音の発生が許容されないと判断される場合であっても、高周波音の発生を抑制しつつクリーニングが行われるように構成したので、撮像して得られる画像の画質がローパスフィルタ２１２の前側表面に付着した異物によって低下するのを抑制できる。
【００４１】
−−−第２の実施の形態−−−
図１１を参照して、本発明によるデジタルカメラの第２の実施の形態を説明する。以下の説明では、第１の実施の形態と同じ構成要素には同じ符号を付して相違点を主に説明する。特に説明しない点については、第１の実施の形態と同じである。本実施の形態では、主に、異物払い落としの実行に先だって異物払い落としに伴う高周波音の発生が許容されるか否かを判断した際に、異物払い落としに伴う高周波音の発生が許容されないと判断される場合には、異物の払い落としを行わないようにした点で、第１の実施の形態と異なる。
【００４２】
すなわち、第２の実施の形態では、自動クリーニングモードに設定されている場合、前回の異物払い落としから所定の回数以上の撮影が行われたときに、撮影後にアイセンサ９０で赤外光の反射光が検出された場合には、制御回路４１は、撮影者の頭部がカメラボディ１００の背面に近づいていて異物払い落としに伴う高周波音の発生が許容されないと判断する。この場合、制御回路４１は、異振動板２６１，２６２を駆動するように指示する制御信号を振動板制御装置１５１に出力しない。したがって、この場合には、クリーニングが行われないので、クリーニング時の高周波音も発生することがない。
【００４３】
−−−フローチャート−−−
このように構成されるカメラボディ１００の動作について、図１１のフローチャートを参照して説明する。図１１は、第２の実施の形態のカメラボディ１００で撮影を行う際のプログラムの処理内容を示すフローチャートである。カメラボディ１００の不図示の電源スイッチがオンされると、この処理を行うプログラムが起動されて、制御回路４１で実行される。ステップＳ１からステップＳ３までは、上述した第１の実施の形態と同じであるので説明を省略する。
【００４４】
ステップＳ３が肯定判断されるとステップＳ２５へ進み、アイセンサ９０で赤外光の反射光が検出されているか否かを判断する。ステップＳ２５が否定判断されると、すなわち、アイセンサ９０で赤外光の反射光が検出されていないと判断されるとステップＳ７へ進む。ステップＳ７以降の動作については、上述した第１の実施の形態と同じであるので説明を省略する。また、ステップＳ２５が肯定判断されると、すなわち、アイセンサ９０で赤外光の反射光が検出されていると判断されると、クリーニングを行わずにステップＳ１１へ進む。
【００４５】
第２の実施の形態のデジタルカメラでは、第１の実施の形態の作用効果に加えて、次の作用効果を奏する。
（１）  高周波音の発生が許容されないと判断される場合は、クリーニングが行われないように構成したので、クリーニングに伴う高周波音に対して撮影者が違和感を覚えることを抑制できる。
【００４６】
−−−第３の実施の形態−−−
図１２〜１５を参照して、本発明によるデジタルカメラの第３の実施の形態を説明する。以下の説明では、第１および第２の実施の形態と同じ構成要素には同じ符号を付して相違点を主に説明する。特に説明しない点については、第１および第２の実施の形態と同じである。本実施の形態では、主に、クリーニング時の高周波音の発生が許容されるか否かを、カメラボディ１００の周囲の音の音量に基づいて判断するように構成した点で、第１および第２の実施の形態と異なる。
【００４７】
図１２は、第３の実施の形態のカメラボディ１００と撮影レンズ３００を斜め後方から見たときの外観の斜視図である。カメラボディ１００には、動画撮影時などにカメラボディ１００の周囲の音を集音するためのマイク９５が、たとえばカメラボディ１００の背面側に設けられている。なお、本実施の形態のカメラボディ１００では、アイセンサ９０および窓部１１２ａ，１１２ｂが設けられていないが、アイセンサ９０および窓部１１２ａ，１１２ｂが設けられていてもよい。
【００４８】
図１３は、カメラボディ１００の構成を説明するブロック図である。音声信号制御部１６６は、制御回路４１からの制御信号に基づいて、たとえば、マイク９５から出力されるアナログ音声信号をたとえばＭＰ３などの所定の音声ファイルフォーマットに変換するなど、マイク９５から出力されるアナログ音声信号を制御する。また、音声信号制御部１６６は、マイク９５から出力されるアナログ音声信号に基づいて、カメラボディ１００の周囲の音（環境音）の音量や周波数の分布状態を検出する。
【００４９】
本実施の形態のデジタルカメラでは、異物払い落としに伴う高周波音の発生が許容されるか否かを判断する際に、マイク９５で集音した環境音の音量に基づいて判断する。具体的には、制御回路４１は、音声信号制御部１６６から出力される、環境音の音量や周波数の分布状態の情報を取得する。そして、メモリ４２に記憶されている音量の閾値の情報を読み込む。この音量の閾値の情報は、たとえば図１４（ａ）に示すように、周波数に応じた音量の閾値の曲線（以下、閾値曲線と呼ぶ）として表される。本実施の形態では、環境音が大きければ異物払い落としに伴う高周波音が撮影者に聞こえにくくなるという、いわゆるマスキング効果を利用することで、高周波音による撮影者の違和感を抑制する。なお、図１４（ａ）に示す閾値曲線の形状は一例であり、本発明は、この閾値曲線の形状に何ら限定されない。たとえば図１４（ａ）に示す閾値曲線では、異物払い落としに伴う高周波音の周波数に近い高い周波数帯域の閾値が低く、異物払い落としに伴う高周波音の周波数から離れた低い周波数帯域の閾値が高い。
【００５０】
そこで、制御回路４１は、メモリ４２から読み込んだ、図１４（ａ）に示すような閾値曲線と、音声信号制御部１６６から出力された環境音の音量および周波数の分布状態の情報とを比較する。そして、図１４（ｂ）に示すように、環境音の音量と周波数の分布を示す曲線（以下、環境音曲線と呼ぶ）が閾値曲線を越えていなければ、環境音によるマスキング効果が不十分であるものと判断して、制御回路４１は、異物払い落としに伴う高周波音の発生が許容されないと判断する。また、図１４（ｃ）に示すように、環境音曲線の少なくとも一部が閾値曲線を越えていれば、環境音によるマスキング効果が十分であるものと判断して、制御回路４１は、異物払い落としに伴う高周波音の発生が許容されると判断する。なお、本実施の形態では、異物払い落としに伴う高周波音の発生が許容されないと判断された場合、クリーニングが行われないように構成されているが、第１の実施の形態の場合と同様に、高周波音の発生を抑制できる駆動条件で振動板２６１，２６２を駆動することでクリーニングを行うように構成してもよい。
【００５１】
−−−フローチャート−−−
このように構成されるカメラボディ１００の動作について、図１５のフローチャートを参照して説明する。図１５は、第３の実施の形態のカメラボディ１００で撮影を行う際のプログラムの処理内容を示すフローチャートである。カメラボディ１００の不図示の電源スイッチがオンされると、この処理を行うプログラムが起動されて、制御回路４１で実行される。ステップＳ１からステップＳ３までは、上述した第１の実施の形態と同じであるので説明を省略する。
【００５２】
ステップＳ３が肯定判断されるとステップＳ３５へ進み、音声信号制御部１６６から出力される情報に基づく環境音曲線の少なくとも一部がメモリ４２から読み込んだ閾値曲線を越えているか否かを判断する。ステップＳ３５が肯定判断されると、すなわち、環境音によるマスキング効果が十分であるものと判断されるとステップＳ７へ進む。ステップＳ７以降の動作については、上述した第１の実施の形態と同じであるので説明を省略する。また、ステップＳ３５が肯定判断されると、すなわち、環境音によるマスキング効果が十分ではないと判断されると、クリーニングを行わずにステップＳ１１へ進む。
【００５３】
第３の実施の形態のデジタルカメラでは、第１および第２の実施の形態の作用効果に加えて、次の作用効果を奏する。
（１）  クリーニング時の高周波音の発生が許容されるか否かを、マイク９５で集音した環境音の音量に基づいて判断するように構成した。これにより、環境音によるマスキング効果が十分であるか否かを容易に判断できるので、クリーニング時の高周波音の発生が許容されるか否かを容易に判断できる。また、従来のデジタルカメラにも設けられているマイク９５を利用して上記判断を行うように構成したので、新たなセンサを設ける等のコスト増も抑制できる。
【００５４】
（２）  環境音の音量を周波数毎に異なる音量の閾値である閾値曲線と比較することで環境音によるマスキング効果が十分であるか否かを判断するように構成したので、クリーニング時の高周波音の発生が許容されるか否かを、環境音の種類（周波数分布）に応じて適切に判断できる。
【００５５】
−−−変形例−−−
（１）  上述した第１の実施の形態では、アイセンサ９０の検出結果を利用して撮影者がカメラボディ１００の近傍に存在しているか否かを判断するように構成しているが、本発明はこれに限定されない。たとえば、アイセンサ９０の代わりに、カメラのグリップ部に設けられて撮影者がグリップ部を握ったことを検出するグリップセンサの検出結果を利用して、撮影者がカメラボディ１００の近傍に存在しているか否かを判断するように構成してもよい。すなわち、たとえば、撮影者がグリップ部を握ったことをグリップセンサで検出している間は、撮影者がカメラボディ１００の近傍に存在していて、クリーニング時の高周波音の発生が許容されないものと判断するようにしてもよい。逆に、たとえば、撮影者がグリップ部を握っていないことをグリップセンサで検出している間は、撮影者がカメラボディ１００の近傍に存在していないため、クリーニング時の高周波音の発生が許容されるものと判断するようにしてもよい。なお、アイセンサ９０やグリップセンサに限らず、カメラボディ１００の近傍に人が存在しているか否かを検出する各種のセンサをアイセンサ９０やグリップセンサの代わりに、または、アイセンサ９０やグリップセンサとともに用いることができる。
【００５６】
（２）  上述した第３の実施の形態では、環境音曲線と閾値曲線との比較によって、異物払い落としに伴う高周波音の発生が許容されるか否かを判断するように構成したが、本発明はこれに限定されない。たとえば、周波数に関係なく、単に環境音の音量と、あらかじめ定められた音量のしきい値との比較によって異物払い落としに伴う高周波音の発生が許容されるか否かを判断するように構成してもよい。また、たとえば、環境音の周波数分布のうち、音量が最も大きい周波数領域のみの音量と、あらかじめ定められた音量のしきい値との比較によって異物払い落としに伴う高周波音の発生が許容されるか否かを判断するように構成してもよい。
【００５７】
（３）  上述の説明では、アイセンサ９０の検出結果、または、環境音の音量のいずれか一方に基づいて、異物払い落としに伴う高周波音の発生が許容されるか否かを判断するように構成したが、本発明はこれに限定されない。たとえば、アイセンサ９０の検出結果、および、環境音の音量の双方に基づいて、異物払い落としに伴う高周波音の発生が許容されるか否かを判断するように構成してもよい。この場合、たとえば、アイセンサ９０の検出結果からカメラボディ１００の周囲に人がいないと判断されるか、または、環境音曲線の少なくとも一部が閾値曲線を越えていると判断されると、異物払い落としに伴う高周波音の発生が許容されたと判断するようにしてもよい。また、たとえば、アイセンサ９０の検出結果からカメラボディ１００の周囲に人がいないと判断され、かつ、環境音曲線の少なくとも一部が閾値曲線を越えていると判断されると、異物払い落としに伴う高周波音の発生が許容されたと判断するようにしてもよい。
【００５８】
（４）  上述の説明では、撮影者が手動でクリーニングを行うように操作した場合には、クリーニング時の高周波音の発生が許容されるか否かの判断が行われないように構成したが、本発明はこれに限定されない。たとえば、撮影者が手動でクリーニングを行うように操作した場合であっても、クリーニング時の高周波音の発生が許容されるか否かの判断を行うように構成してもよい。そして、クリーニング時の高周波音の発生が許容されないと判断されると、クリーニング時の高周波音の発生が抑制されるような振動条件で振動板２６１，２６２を振動させてクリーニングを行うように構成してもよい。
（５）  上述した各実施の形態および変形例は、それぞれ組み合わせてもよい。
【００５９】
なお、本発明は、上述した実施の形態のものに何ら限定されず、被写体像を撮像する撮像素子と、撮像素子の被写体側の前面に配設された光学部材と、光学部材を振動させる振動部材と、振動部材が光学部材を振動させる際に生じる音の発生が許容されるか否かを判断する判断手段と、音の発生が許容されると判断手段で判断されると、第一の条件で振動部材を駆動することで光学部材を振動させ、音の発生が許容されないと判断手段で判断されると、第一の条件で振動部材を駆動する場合と比べて音の大きさが小さくなる第２の条件で振動部材を駆動することで光学部材を振動させる振動部材駆動制御手段とを備えることを特徴とする各種構造のデジタルカメラを含むものである。
【００６０】
また、本発明は、上述した実施の形態のものに何ら限定されず、被写体像を撮像する撮像素子と、撮像素子の被写体側の前面に配設された光学部材と、光学部材を振動させる振動部材と、振動部材が光学部材を振動させる際に生じる音の発生が許容されるか否かを判断する判断手段と、音の発生が許容されると判断手段で判断されると、振動部材を駆動することで光学部材を振動させ、音の発生が許容されないと判断手段で判断されると、振動部材を駆動しない振動部材駆動制御手段とを備えることを特徴とする各種構造のデジタルカメラを含むものである。
【図面の簡単な説明】
【００６１】
【図１】第１の実施の形態のカメラボディ１００と撮影レンズ３００を斜め後方から見たときの外観の斜視図である。
【図２】背面カバー１１０を外したカメラボディ１００と撮影レンズ３００とを斜め後方から見たときの外観の斜視図である。
【図３】第１の実施の形態のカメラボディ１００と撮影レンズ２００の断面を概念的に示す図である。
【図４】第１の実施の形態のカメラボディ１００の構成を説明するブロック図である。
【図５】撮像ユニット２００の斜視図である。
【図６】撮像ユニット２００の分解図である。
【図７】撮像ユニット２００を左側から見たときの断面図である。
【図８】撮像ユニット２００を下方から見たときの断面図である。
【図９】ローパスフィルタ２１２および振動板２６１，２６２を示す斜視図である。
【図１０】第１の実施の形態のカメラボディ１００で撮影を行う際のプログラムの処理内容を示すフローチャートである。
【図１１】第２の実施の形態のカメラボディ１００で撮影を行う際のプログラムの処理内容を示すフローチャートである。
【図１２】第３の実施の形態のカメラボディ１００と撮影レンズ３００を斜め後方から見たときの外観の斜視図である。
【図１３】第３の実施の形態のカメラボディ１００の構成を説明するブロック図である。
【図１４】閾値曲線と環境音曲線との関係を説明する図である。
【図１５】第３の実施の形態のカメラボディ１００で撮影を行う際のプログラムの処理内容を示すフローチャートである。
【符号の説明】
【００６２】
１  シャッタ                            ４１  制御回路
４２  メモリ                            ７１  表示装置
９０  アイセンサ                        ９５  マイク
１００  カメラボディ                    １５１  振動板制御装置
１６６  音声信号制御部                  ２００  撮像ユニット
２１１，２１２  ローパスフィルタ        ２５０  撮像素子
２６１，２６２  振動板                  ３００  撮影レンズ
【図１】
2010114641.tif 000003
【図２】
2010114641.tif 000004
【図３】
2010114641.tif 000005
【図４】
2010114641.tif 000006
【図５】
2010114641.tif 000007
【図６】
2010114641.tif 000008
【図７】
2010114641.tif 000009
【図８】
2010114641.tif 000010
【図９】
2010114641.tif 000011
【図１０】
2010114641.tif 000012
【図１１】
2010114641.tif 000013
【図１２】
2010114641.tif 000014
【図１３】
2010114641.tif 000015
【図１４】
2010114641.tif 000016
【図１５】
2010114641.tif 000017